(57)【特許請求の範囲】
【請求項１】
内視鏡の挿入部において開口する流体通路に連通する外部開口が上記挿入部の基端に連結された操作部に設けられた内視鏡における上記外部開口からの汚液飛散防止具において、
上記外部開口から漏出する汚液を上記外部開口の外側において吸収するための柔軟性のある吸水性材料からなる汚液吸収部材と、
上記外部開口を外側から覆う状態に上記汚液吸収部材を係止するように上記操作部に対して着脱自在に設けられた係止部材とを
有することを特徴とする内視鏡の汚液飛散防止具。
【請求項２】
上記汚液吸収部材が、ガーゼ、海綿、連続発泡体、含水性不織布又は高分子含水性ポリマーを素材としている請求項１記載の内視鏡の汚液飛散防止具。
【請求項３】
上記係止部材が紐状体であって、上記汚液吸水部材に形成された紐通し部に上記紐状体が挿通されている請求項１又は２記載の内視鏡の汚液飛散防止具。
【請求項４】
上記係止部材が、伸縮性のある無端状部材によって形成されている請求項１、２又は３記載の内視鏡の汚液飛散防止具。
【請求項５】
上記係止部材が、互いに係合する係合部を両端に有する有端状部材によって形成されている請求項１、２又は３記載の内視鏡の汚液飛散防止具。
【請求項６】
上記係止部材が、操作部に係合する係合部を両端に有する有端状部材によって形成されている請求項１、２又は３記載の内視鏡の汚液飛散防止具。
【請求項７】
上記汚液吸収部材が、上記外部開口を覆うだけでなく上記操作部の握り部分の一部を覆うように形成されている請求項１ないし６のいずれかの項記載の内視鏡の汚液飛散防止具。
【請求項８】
上記外部開口が、処置具類を鉗子チャンネルに挿入するための入口である請求項１ないし７のいずれかの項記載の内視鏡の汚液飛散防止具。
【請求項９】
上記外部開口が、送気送水又は吸引のための操作弁に形成されたリーク孔である請求項１ないし８のいずれかの項記載の内視鏡の汚液飛散防止具。
【発明の詳細な説明】
【０００１】
【発明の属する技術分野】
この発明は、内視鏡の挿入部において開口する流体通路に連通する外部開口が操作部に設けられた内視鏡における外部開口からの汚液飛散防止具に関する。
【０００２】
【従来の技術】
内視鏡には一般に、処置具類を通すための鉗子チャンネルが挿入部内に挿通されていて、その先端出口は挿入部の先端において開口し、基端入口は操作部において開口している。
【０００３】
ただし、そのままでは、体腔内の圧力によって体腔内の汚液が鉗子チャンネル内を通って操作部側の入口開口から噴出し、術者やその周囲を汚染してしまうことになる。
【０００４】
そこで、そのような汚液噴出を阻止し、且つ鉗子チャンネルに対する処置具の挿脱を行うことができるように、鉗子チャンネルの入口開口部には、例えばスリットが形成されたゴム弁からなるいわゆる鉗子栓が装着されている。
【０００５】
【発明が解決しようとする課題】
しかし、鉗子栓に処置具が通されると、ゴム弁のスリットが押し広げられてスリットの端の方の部分では処置具の外周面との間に隙間ができ、その部分から汚液が噴出する場合が少なくない。特に、コイルパイプをシースとする処置具の場合は、外周面に螺旋状に隙間があるので汚液が噴出し易い。
【０００６】
また、シース内に操作ワイヤ等が進退自在に挿通された処置具の場合には、シースと操作ワイヤとの間に隙間があるので、その部分を通って汚液が噴出する場合がある。
【０００７】
また、操作部に設けられた吸引操作弁や送気送水操作弁は、内部に装着されたＯリングによってシールされているが、Ｏリングが磨耗したり擦り切れると、操作弁のリーク孔等から体腔内の汚液が噴出する場合がある。
【０００８】
そのようにして、体腔内汚液が内視鏡の操作部付近から噴出すると、術者の顔や手に汚液がかかったり周囲に飛散して、非常に不衛生な状態になってしまう場合があるが、そのような体腔内汚液の噴出を完全に防止するのは困難である。
【０００９】
そこで本発明は、内視鏡の操作部側で体腔内汚液の噴出があっても、汚液がそこから飛び散らず、内視鏡検査を衛生的に行うことができる内視鏡の汚液飛散防止具を提供することを目的とする。
【００１０】
【課題を解決するための手段】
上記の目的を達成するため、本発明の内視鏡の汚液飛散防止具は、内視鏡の挿入部において開口する流体通路に連通する外部開口が上記挿入部の基端に連結された操作部に設けられた内視鏡における上記外部開口からの汚液飛散防止具において、上記外部開口から漏出する汚液を上記外部開口の外側において吸収するための柔軟性のある吸水性材料からなる汚液吸収部材と、上記外部開口を外側から覆う状態に上記汚液吸収部材を係止するように上記操作部に対して着脱自在に設けられた係止部材とを有することを特徴とする。
【００１１】
なお、上記汚液吸収部材が、ガーゼ、海綿、連続発泡体、含水性不織布又は高分子含水性ポリマーを素材としていてもよく、上記係止部材が紐状体であって、上記汚液吸水部材に形成された紐通し部に上記紐状体が挿通されていてもよい。
【００１２】
また、上記係止部材が、伸縮性のある無端状部材によって形成されていてもよく、上記係止部材が、互いに係合する係合部を両端に有する有端状部材によって形成されていてもよい。或いは、上記係止部材が、操作部に係合する係合部を両端に有する有端状部材によって形成されていてもよい。
【００１３】
また、上記汚液吸収部材が、上記外部開口だけでなく上記操作部の握り部分の一部を覆うように形成されていてもよい。そして、上記外部開口が、処置具類を鉗子チャンネルに挿入するための入口、又は送気送水或いは吸引操作弁に形成されたリーク孔であってもよい。
【００１４】
【発明の実施の形態】
図面を参照して本発明の実施の形態を説明する。
図１において、１は内視鏡の操作部であり、その下端部に、体腔内に挿入される挿入部２が連結されている。
【００１５】
挿入部２内には、その先端に開口する鉗子チャンネル４が全長にわたって挿通されている。そして、鉗子チャンネル４の基端側は操作部１の下端部に斜め上方に向けて突設された突出部３の先端に開口形成された処置具挿入口５に連通している。
【００１６】
処置具挿入口５のすぐ内側の突出部３内には、通常は閉じていて、処置具挿入口５から鉗子チャンネル４内へ処置具が挿通されたときだけ押し開かれる鉗子栓６が配置されている。
【００１７】
操作部１の上半部には、送気送水操作弁７と吸引操作弁８とが前面側に配置され、挿入部２の先端近傍に形成された湾曲部（図示せず）を遠隔的に屈曲操作するための湾曲操作ノブ９が、側面に配置されている。その部分と操作部１の下端部との間は握り部１ａになっている。
【００１８】
送気送水操作弁７には、挿入部２の先端に開口する送気チューブと送水チューブとが連通接続されているが、その図示は省略されている。また、吸引操作弁８は、操作部１の下端部において鉗子チャンネル４と連通接続されており、鉗子チャンネル４は吸引チャンネルも兼用している。
【００１９】
２０は内視鏡の汚液飛散防止具であり、図２に示されるように、例えば柔軟性のあるガーゼ等の吸水性材料を複数枚重ね合わせたものを折り返して汚液吸収部材２１を形成し、その折り返し部に例えば輪ゴム等からなる係止部材２２を係合させたものである。
【００２０】
この実施の形態においては、汚液吸収部材２１が折り返し部の近傍で折り返し線に平行に縫い合わされて、係止部材２２を通すための通し孔２３が形成されている。２４は縫い目である。
【００２１】
このように通し孔２３を形成しなくても、汚液吸収部材２１を単に折り返すだけでもよいが、通し孔２３を形成すれば、係止部材２２が汚液吸収部材２１に安定的に取り付けられた状態になるので、操作部１に対する着脱等が楽になる。
【００２２】
このように形成された汚液飛散防止具２０は、係止部材２２に内視鏡の挿入部２を先端側から通して、図１に示されるように、係止部材２２により操作部１の下端部付近を締めつけ固定する。係止部材２２の径は、操作部１の太さに合わせて設定すればよい。
【００２３】
この実施の形態においては、係止部材２２が突出部３より上方に止められており、処置具挿入口５の外表面が汚液吸収部材２１によって上方から覆われるようになっている。
【００２４】
その状態では、図１に示されるように、握り部１ａを握った術者の手の小指で汚液吸収部材２１を軽く押さえて保持することができ、鉗子チャンネル４を通ってきた体腔内の汚液が処置具挿入口５から外へ噴出しても、汚液吸収部材２１に吸い取られるので、周囲に飛散したり術者の手や顔にかかったりしない。
【００２５】
処置具挿入口５から鉗子チャンネル４内に処置具を挿入して使用する際には、図３に示されるように、汚液吸収部材２１で処置具１００の周囲を囲むようにすれば、汚液の飛散を防ぐことができる。
【００２６】
また、図４に示されるように、汚液吸収部材２１の半部で操作部１の握り部１ａを覆って、握り部１ａを把持する手で握り込むようにすれば、汚液が手に伝わるのをより防止することができると共に、操作部１の保持が滑らなくなって持ち易くなり、また、汚液吸収部材２１が安定して保持される。
【００２７】
なお、図５に示されるように、汚液吸収部材２１としては、ガーゼに限らず、海綿、連続発泡体、含水性不織布又は高分子含水性ポリマー等のように柔軟性のある吸水性のある部材を広く用いることができ、通し孔２３を形成するための縫い目２４部分は溶着等に代えることもできる。
【００２８】
また、係止部材２２は、例えば図６に示されるように、有端状の紐状体を用いてもよく、その端部どうしを互いに係合させることができるように、両端部に例えばスウェーデンファスナー（いわゆるマジックテープ［商標］）２２ａ等を設けてもよい。
【００２９】
図７はそのような実施の形態の使用状態を示しており、輪ゴムの場合に比べて操作部１への着脱を楽に行うことができる。なお、図８に示されるように、係止部材２２を突出部３より下の位置で操作部１に止めて、処置具挿入口５の外表面を汚液吸収部材２１により下方から覆って使用するようにしてもよい。
【００３０】
このようにすると、汚液吸収部材２１の端部２１ａが重力によって処置具挿入口５の表面を塞ぐ位置に下がってくるので、処置具挿入口５からの汚液の飛散をより防止することができる。
【００３１】
図９及び図１０は、係止部材２２の両端部に止め輪２２ｂを形成し、係止部材２２を操作部１の下端部付近に巻き付けて両端の止め輪２２ｂを突出部３に引っかけて係止するようにしたものである。このようにすると、操作部１に対する汚液飛散防止具２０の着脱が楽である。なお、係止部材２２には弾力性を有する素材を用いるとよい。
【００３２】
図１１及び図１２は、送気送水操作弁７と吸引操作弁８の外表面が汚液吸収部材２１で覆われるように、汚液飛散防止具２０を操作部１の上半部に取り付けたものである。
【００３３】
このようにすると、送気送水操作弁７や吸引操作弁８に装着されているＯリングの破損等があっても、各弁７，８に形成されたリーク孔等からの汚液の飛散を吸収することができる。
【００３４】
【発明の効果】
本発明によれば、内視鏡の挿入部において開口する流体通路に連通するように操作部に設けられた外部開口を外側から覆う位置に、柔軟性のある吸水性材料からなる汚液吸収部材を取り付けることにより、操作部外部開口から体腔内汚液の噴出があっても、汚液が吸収されてそこから飛び散らず、内視鏡検査を衛生的に行うことができる。そして、汚液飛散防止具は、必要に応じて容易に取り付け取り外し及び交換することができる。
【図面の簡単な説明】
【図１】本発明の第１の実施の形態の汚液飛散防止具が操作部に取り付けられた状態の側面図である。
【図２】本発明の第１の実施の形態の汚液飛散防止具の斜視図である。
【図３】本発明の第１の実施の形態の汚液飛散防止具が操作部に取り付けられた状態で処置具が使用されている状態の部分正面図である。
【図４】本発明の第１の実施の形態の汚液飛散防止具の異なる使用状態の側面図である。
【図５】本発明の第２の実施の形態の汚液飛散防止具の正面図である。
【図６】本発明の第３の実施の形態の汚液飛散防止具の正面図である。
【図７】本発明の第３の実施の形態の汚液飛散防止具が操作部に取り付けられた状態の側面図である。
【図８】本発明の第３の実施の形態の汚液飛散防止具が異なる態様で操作部に取り付けられた状態の側面図である。
【図９】本発明の第４の実施の形態の汚液飛散防止具の斜視図である。
【図１０】本発明の第４の実施の形態の汚液飛散防止具が操作部に取り付けられた状態の平面断面略示図である。
【図１１】本発明の第５の実施の形態の汚液飛散防止具が操作部に取り付けられた状態の平面部分断面図である。
【図１２】本発明の第５の実施の形態の汚液飛散防止具が操作部に取り付けられた状態の側面図である。
【符号の説明】
１  操作部
２  挿入部
４  鉗子チャンネル
５  処置具挿入口
６  鉗子栓
２０  汚液飛散防止具
２１  汚液吸収部材
２２  係止部材
【図１】
0003554440.tif 000002
【図２】
0003554440.tif 000003
【図３】
0003554440.tif 000004
【図４】
0003554440.tif 000005
【図５】
0003554440.tif 000006
【図６】
0003554440.tif 000007
【図７】
0003554440.tif 000008
【図８】
0003554440.tif 000009
【図９】
0003554440.tif 000010
【図１０】
0003554440.tif 000011
【図１１】
0003554440.tif 000012
【図１２】
0003554440.tif 000013